(57)【要約】【課題】この発明は、ガス関連会社が火災現場を迅速かつ確実に特定することができるとともに、火災現場のガス関連情報を迅速かつ確実に収集することができ、ひいてはガス保安措置を効率的に実行することが可能なガス保安システムおよびガス保安方法の提供を目的とする。【解決手段】火災通報があった場合に、消防側パソコン１から会社側パソコン２に火災現場情報を送信する。会社側パソコン２では火災現場情報を表示部２６に表示するとともに、火災現場情報をサーバ３に送信する。サーバ３は、火災現場情報に基づいて火災現場のガス関連情報を検索し、そのガス関連情報を会社側パソコン２に送信する。会社側パソコン２は、サーバ３から送信されてきたガス関連情報を表示部２６に表示する。【選択図】      図１
2004246850.tif 000002
【特許請求の範囲】
【請求項１】
一ないし複数の消防保安センターまたは消防署の消防側情報端末装置と、一ないし複数のガス関連会社の会社側情報端末装置と、サーバコンピュータとがネットワークに接続された消防用ガス保安システムであって、
前記消防側情報端末装置は、火災通報があった場合に火災現場情報を前記会社型情報端末装置にネットワークを介して送信する消防側火災現場情報送信手段を備え、
前記会社側情報端末装置は、前記消防側情報端末装置からネットワークを介して送信されてきた火災現場情報を受信する会社側火災現場情報受信手段と、
該火災現場情報受信手段により受信された火災現場情報の一部または全部を前記サーバコンピュータにネットワークを介して送信する会社側火災現場情報送信手段と、
前記サーバコンピュータからネットワークを介して送信されてきた火災現場のガス関連情報を受信するガス関連情報受信手段と、
該ガス関連情報受信手段により受信された火災現場のガス関連情報を表示する表示手段とを備え、
前記サーバコンピュータは、ガス関連会社における各顧客のガス関連情報を記憶するガス関連情報記憶手段と、
前記会社側情報端末装置からネットワークを介して送信されてきた火災現場情報を受信するサーバ側火災現場情報受信手段と、
該サーバ側火災現場情報受信手段により受信された火災現場情報に基づいて、当該火災現場に対応する顧客のガス関連情報を検索するガス関連情報検索手段と、
該ガス関連情報検索手段により検索された火災現場のガス関連情報を前記会社側情報端末装置にネットワークを介して送信するガス関連情報送信手段と、
を備えてなることを特徴とする消防用ガス保安システム。
【請求項２】
一ないし複数の消防保安センターまたは消防署の消防側情報端末装置と、一ないし複数のガス関連会社の会社側情報端末装置と、サーバコンピュータとがネットワークに接続された消防用ガス保安システムにおける消防用ガス保安方法であって、
前記消防側情報端末装置が、火災通報があった場合に火災現場情報を前記会社型情報端末装置にネットワークを介して消防側火災現場情報送信手段により送信するステップと、
前記会社側情報端末装置が、前記消防側情報端末装置からネットワークを介して送信されてきた火災現場情報を会社側火災現場情報受信手段により受信するステップと、
該火災現場情報受信手段により受信された火災現場情報の一部または全部を前記サーバコンピュータにネットワークを介して会社側火災現場情報送信手段により送信するステップと、
前記サーバコンピュータが、ガス関連会社における各顧客のガス関連情報をガス関連情報記憶手段に記憶するステップと、
前記会社側情報端末装置からネットワークを介して送信されてきた火災現場情報をサーバ側火災現場情報受信手段により受信するステップと、
該サーバ側火災現場情報受信手段により受信された火災現場情報に基づいて、当該火災現場に対応する顧客のガス関連情報をガス関連情報検索手段により検索するステップと、
該ガス関連情報検索手段により検索された火災現場のガス関連情報を前記会社側情報端末装置にネットワークを介してガス関連情報送信手段により送信するステップと、
前記会社側情報端末装置が、前記サーバコンピュータからネットワークを介して送信されてきた火災現場のガス関連情報をガス関連情報受信手段により受信するステップと、
該ガス関連情報受信手段により受信された火災現場のガス関連情報を表示手段に表示するステップと、
を備えることを特徴とする消防用ガス保安方法。
【請求項３】
一ないし複数の消防保安センターまたは消防署の消防側情報端末装置と、一ないし複数のガス関連会社の会社側情報端末装置と、サーバコンピュータとがネットワークに接続された消防用ガス保安システムに用いられるサーバコンピュータであって、
ガス関連会社における各顧客のガス関連情報を記憶するガス関連情報記憶手段と、
前記会社側情報端末装置からネットワークを介して送信されてきた火災現場情報を受信するサーバ側火災現場情報受信手段と、
該サーバ側火災現場情報受信手段により受信された火災現場情報に基づいて、当該火災現場に対応する顧客のガス関連情報を検索するガス関連情報検索手段と、
該ガス関連情報検索手段により検索された火災現場のガス関連情報を前記会社側情報端末装置にネットワークを介して送信するガス関連情報送信手段と、
を備えてなることを特徴とするサーバコンピュータ。
【請求項４】
コンピュータを、
ガス関連会社における各顧客のガス関連情報を記憶するガス関連情報記憶手段、
前記会社側情報端末装置からネットワークを介して送信されてきた火災現場情報を受信するサーバ側火災現場情報受信手段、
該サーバ側火災現場情報受信手段により受信された火災現場情報に基づいて、当該火災現場に対応する顧客のガス関連情報を検索するガス関連情報検索手段、
該ガス関連情報検索手段により検索された火災現場のガス関連情報を前記会社側情報端末装置にネットワークを介して送信するガス関連情報送信手段として機能させるためのプログラム。
【請求項５】
コンピュータを、
ガス関連会社における各顧客のガス関連情報を記憶するガス関連情報記憶手段、
前記会社側情報端末装置からネットワークを介して送信されてきた火災現場情報を受信するサーバ側火災現場情報受信手段、
該サーバ側火災現場情報受信手段により受信された火災現場情報に基づいて、当該火災現場に対応する顧客のガス関連情報を検索するガス関連情報検索手段、
該ガス関連情報検索手段により検索された火災現場のガス関連情報を前記会社側情報端末装置にネットワークを介して送信するガス関連情報送信手段として機能させるためのプログラムが記録されたコンピュータ読み取り可能な記録媒体。
【発明の詳細な説明】
【０００１】
【発明の属する技術分野】
この発明は、消防側情報端末装置、会社側情報端末装置、およびサーバコンピュータがネットワークに接続され、ガス関連会社がガス保安措置を実行するための消防用ガス保安システムおよびガス保安方法に関する。
【０００２】
【従来の技術】
従来、火災が発生した場合、火災を発見した者から消防保安センター等に対して電話により通報がなされ、消防保安センターはその火災発見者の通報に基づいて火災現場を特定し、その火災現場に関する情報（以下、火災現場情報という）を管轄の消防署に連絡する。そして、消防署は、消防保安センターから連絡された火災現場情報に基づいて火災現場に急行する。
【０００３】
ところで、ガス関連会社（例えばガス販売店など）も、火災現場が顧客の邸宅等の場合は火災現場に急行してガス保安措置を実行する必要がある。
【０００４】
【発明が解決しようとする課題】
しかしながら、従来、消防保安センターあるいは消防署からガス関連会社に火災の通報がなされることはなかった。このため、ガス関連会社は、近くの道路を通過する消防署のサイレンを聞いたあとに、消防車を追尾したり或いは消防署に確認するというものであったため、ガス関連会社が火災現場を迅速かつ確実に特定することが困難であるという問題があった。
【０００５】
また、ガス関連会社が、運良く火災現場に特定できたとしても、その時点では火災現場のガス関連情報を迅速かつ確実に収集することができず、火災現場においてガス保安措置を実行することが困難であるという問題もあった。
【０００６】
この発明は、上述の問題に鑑みてなされたものであって、ガス関連会社が火災現場を迅速かつ確実に特定することができるとともに、火災現場のガス関連情報を迅速かつ確実に収集することができ、ひいてはガス保安措置を効率的に実行することが可能なガス保安システムおよびガス保安方法の提供を目的とする。
【０００７】
【課題を解決するための手段】
この発明は、一ないし複数の消防保安センターまたは消防署の消防側情報端末装置と、一ないし複数のガス関連会社の会社側情報端末装置と、サーバコンピュータとがネットワークに接続された消防用ガス保安システムであって、
前記消防側情報端末装置は、火災通報があった場合に火災現場情報を前記会社型情報端末装置にネットワークを介して送信する消防側火災現場情報送信手段を備え、
前記会社側情報端末装置は、前記消防側情報端末装置からネットワークを介して送信されてきた火災現場情報を受信する会社側火災現場情報受信手段と、該火災現場情報受信手段により受信された火災現場情報の一部または全部を前記サーバコンピュータにネットワークを介して送信する会社側火災現場情報送信手段と、前記サーバコンピュータからネットワークを介して送信されてきた火災現場のガス関連情報を受信するガス関連情報受信手段と、該ガス関連情報受信手段により受信された火災現場のガス関連情報を表示する表示手段とを備え、
前記サーバコンピュータは、ガス関連会社における各顧客のガス関連情報を記憶するガス関連情報記憶手段と、前記会社側情報端末装置からネットワークを介して送信されてきた火災現場情報を受信するサーバ側火災現場情報受信手段と、該サーバ側火災現場情報受信手段により受信された火災現場情報に基づいて、当該火災現場に対応する顧客のガス関連情報を検索するガス関連情報検索手段と、該ガス関連情報検索手段により検索された火災現場のガス関連情報を前記会社側情報端末装置にネットワークを介して送信するガス関連情報送信手段と、を備えてなることを特徴とする。
【０００８】
これによれば、ガス関連会社が火災現場を迅速かつ確実に特定することができるとともに、火災現場のガス関連情報を迅速かつ確実に収集することができる。
【０００９】
また、この発明に係る消防用ガス保安方法は、一ないし複数の消防保安センターまたは消防署の消防側情報端末装置と、一ないし複数のガス関連会社の会社側情報端末装置と、サーバコンピュータとがネットワークに接続された消防用ガス保安システムにおける消防用ガス保安方法であって、
前記消防側情報端末装置が、火災通報があった場合に火災現場情報を前記会社型情報端末装置にネットワークを介して消防側火災現場情報送信手段により送信するステップと、
前記会社側情報端末装置が、前記消防側情報端末装置からネットワークを介して送信されてきた火災現場情報を会社側火災現場情報受信手段により受信するステップと、該火災現場情報受信手段により受信された火災現場情報の一部または全部を前記サーバコンピュータにネットワークを介して会社側火災現場情報送信手段により送信するステップと、
前記サーバコンピュータが、ガス関連会社における各顧客のガス関連情報をガス関連情報記憶手段に記憶するステップと、前記会社側情報端末装置からネットワークを介して送信されてきた火災現場情報をサーバ側火災現場情報受信手段により受信するステップと、該サーバ側火災現場情報受信手段により受信された火災現場情報に基づいて、当該火災現場に対応する顧客のガス関連情報をガス関連情報検索手段により検索するステップと、該ガス関連情報検索手段により検索された火災現場のガス関連情報を前記会社側情報端末装置にネットワークを介してガス関連情報送信手段により送信するステップと、
前記会社側情報端末装置が、前記サーバコンピュータからネットワークを介して送信されてきた火災現場のガス関連情報をガス関連情報受信手段により受信するステップと、該ガス関連情報受信手段により受信された火災現場のガス関連情報を表示手段に表示するステップと、を備えることを特徴とする。
【００１０】
これによれば、ガス関連会社が火災現場を迅速かつ確実に特定することができるとともに、火災現場のガス関連情報を迅速かつ確実に収集することができる。
【００１１】
また、この発明に係るサーバコンピュータは、一ないし複数の消防保安センターまたは消防署の消防側情報端末装置と、一ないし複数のガス関連会社の会社側情報端末装置と、サーバコンピュータとがネットワークに接続された消防用ガス保安システムに用いられるサーバコンピュータであって、
ガス関連会社における各顧客のガス関連情報を記憶するガス関連情報記憶手段と、前記会社側情報端末装置からネットワークを介して送信されてきた火災現場情報を受信するサーバ側火災現場情報受信手段と、該サーバ側火災現場情報受信手段により受信された火災現場情報に基づいて、当該火災現場に対応する顧客のガス関連情報を検索するガス関連情報検索手段と、該ガス関連情報検索手段により検索された火災現場のガス関連情報を前記会社側情報端末装置にネットワークを介して送信するガス関連情報送信手段と、を備えてなることをを特徴とする。
【００１２】
これによれば、消防側情報端末装置および会社側情報端末装置が接続されたネットワークに接続することにより、上述の消防用ガス保安システムを実現することができる。
【００１３】
また、この発明に係る消防用ガス保安プログラムは、コンピュータを、
ガス関連会社における各顧客のガス関連情報を記憶するガス関連情報記憶手段、前記会社側情報端末装置からネットワークを介して送信されてきた火災現場情報を受信するサーバ側火災現場情報受信手段、該サーバ側火災現場情報受信手段により受信された火災現場情報に基づいて、当該火災現場に対応する顧客のガス関連情報を検索するガス関連情報検索手段、該ガス関連情報検索手段により検索された火災現場のガス関連情報を前記会社側情報端末装置にネットワークを介して送信するガス関連情報送信手段として機能させることを特徴とする。
【００１４】
これによれば、消防用ガス保安プログラムをコンピュータにインストールすることにより、前記ガス保安システムを簡単かつ確実に実現することができる。
【００１５】
また、この発明に係るコンピュータ読み取り可能な記録媒体は、コンピュータを、ガス関連会社における各顧客のガス関連情報を記憶するガス関連情報記憶手段、前記会社側情報端末装置からネットワークを介して送信されてきた火災現場情報を受信するサーバ側火災現場情報受信手段、該サーバ側火災現場情報受信手段により受信された火災現場情報に基づいて、当該火災現場に対応する顧客のガス関連情報を検索するガス関連情報検索手段、該ガス関連情報検索手段により検索された火災現場のガス関連情報を前記会社側情報端末装置にネットワークを介して送信するガス関連情報送信手段として機能させるためのプログラムが記録されたことを特徴とする。
【００１６】
これによれば、記録媒体に記録された消防用ガス保安プログラムをコンピュータにインストールすることにより、前記ガス保安システムを簡単かつ確実に実現することができる。
【００１７】
【発明の実施の形態】
次にこの発明の一実施形態について説明する。
【００１８】
図１はこの実施形態に係る消防用ガス保安システムの構成概略図である。
【００１９】
図１において、（１）は消防用保安センター内に配置された消防側パーソナルコンピュータ（以下、消防側パソコンという）、（２）はガス販売会社内に配置された会社側パーソナルコンピュータ（以下、会社側パソコンという）、（３）はガス販売会社における各顧客のガス関連情報を記憶するサーバコンピュータ（以下、サーバという）であり、それぞれネットワークに接続されることにより通信可能なものとなされている。
【００２０】
図２は、前記消防側パソコン（１）の機能を示すブロック図である。
【００２１】
図２において、（１１）は、地域情報記憶部である。この地域情報記憶部（１１）は、消防センターが管轄する地域に関する情報を記憶するものである。この地域情報には、その地域における住民の住所や地図などの情報が含まれる。
【００２２】
また、（１２）は、火災現場情報特定部（１２）である。この火災現場情報検索部（１２）は、火災発見者から通報があった場合に、オペレータ等の操作により前記地域情報記憶部（１１）に記憶されている地域情報から火災現場を特定するものである。
【００２３】
前記火災現場情報特定部（１２）の第１の出力側には、表示部（１３）が設けられている。この表示部（１３）は、前記火災現場情報特定部（１２）により特定された火災現場情報を表示するものである。例えば、表示部（１３）は、火災現場周辺の地図に火災現場の印を付けた状態の画面を表示することが考えられる。
【００２４】
前記火災現場情報特定部（１２）の第２の出力側には、火災現場情報送信部（１４）が設けられている。この火災現場情報送信部（１４）は、前記火災現場情報特定部（１２）により特定された火災現場情報をネットワークを介して前記会社側パソコン（２）に送信するものである。
【００２５】
図３は、前記消防側パソコン（１）のハードウェア構成を示す図である。
【００２６】
図３において、（１０１）は各部の制御や、データの授受、種々の演算を行い、火災現場情報特定部（１２）として機能する中央演算処理装置（ＣＰＵ）を有する制御部、（１０２）は各種処理を実行するためのプログラムが格納されているＲＯＭ（Ｒｅａｄ  Ｏｎｌｙ  Ｍｅｍｏｒｙ）、（１０３）は前記制御部（１０１）が各種処理を実行するときに必要なデータやプログラムが適宜記憶されるＲＡＭ（Ｒａｎｄｏｍ  Ａｃｃｅｓｓ  Ｍｅｍｏｒｙ）、（１０４）はネットワークに対してデータの授受を行い、火災現場情報送信部（１４）として機能する通信部、（１０５）は各種データを記憶し、前記地域情報記憶部（１１）として機能するハードディスク、（１０６）は各種画面表示を行う表示部（１３）として機能するモニタである。
【００２７】
図４は、前記会社側パソコン（２）の機能を示すブロック図である。
【００２８】
図４において、（２１）は、火災現場情報受信部である。この火災現場情報受信部（２１）は、前記消防側パソコン（１）からネットワークを介して送信されてきた火災現場情報を受信するものである。なお、火災現場情報は、少なくとも火災現場の住所を含むのが好ましい。
【００２９】
前記火災現場情報受信部（２１）の出力側には、火災現場情報記憶部（２２）が設けられている。この火災現場情報記憶部（２２）は、前記火災現場情報受信部（２１）により受信された火災現場情報を記憶するものである。
【００３０】
前記火災現場情報記憶部（２２）の出力側には、火災現場情報送信部（２３）が設けられている。この火災現場情報送信部（２３）は、前記火災現場情報記憶部に記憶されている火災現場情報の一部または全部をネットワークを介して前記サーバ（３）に送信するものである。
【００３１】
一方、図４において、（２４）は、ガス関連情報受信部である。このガス関連情報受信部（２４）は、前記サーバ（３）からネットワークを介して送信されてきたガス関連情報を受信するものである。
【００３２】
前記ガス関連情報受信部（２４）の出力側には、ガス関連情報記憶部（２５）が設けられている。このガス関連情報記憶部（２５）は、前記ガス関連情報受信部（２４）に受信されたガス関連情報を記憶するものである。
【００３３】
前記火災現場情報記憶部（２２）およびガス関連情報記憶部（２５）の出力側には、表示部（２６）が設けられている。この表示部（２６）は、前記火災現場情報記憶部（２２）に記憶されている火災現場情報や、前記ガス関連情報記憶部（２５）に記憶されているガス関連情報（例えば図８）をガス販売会社のオペレータ等の操作により適宜表示するものである。
【００３４】
図５は、前記会社側パソコン（２）のハードウェア構成を示す図である。
【００３５】
図５において、（２０１）は各部の制御や、データの授受、種々の演算を行う中央演算処理装置（ＣＰＵ）を有する制御部、（２０２）は各種処理を実行するためのプログラムが格納されているＲＯＭ（Ｒｅａｄ  Ｏｎｌｙ  Ｍｅｍｏｒｙ）、（２０３）は前記制御部（２０１）が各種処理を実行するときに必要なデータやプログラムが適宜記憶されるＲＡＭ（Ｒａｎｄｏｍ  Ａｃｃｅｓｓ  Ｍｅｍｏｒｙ）、（２０４）はネットワークに対してデータの授受を行い、火災現場情報受信部（２１）、火災現場情報送信部（２３）、およびガス関連情報受信部（２４）として機能する通信部、（２０５）は各種データを記憶し、前記火災現場情報記憶部（２２）およびガス関連情報記憶部（２５）として機能するハードディスク、（２０６）は各種画面表示を行う表示部（２６）として機能するモニタである。
【００３６】
図６は、前記サーバ（３）の機能を示すブロック図である。
【００３７】
図６において、（３１）は、ガス関連情報記憶部である。このガス関連情報記憶部（３１）は、前記ガス販売会社における各顧客のガス関連情報を記憶するものである。このガス関連情報とは、図８に示すように、顧客情報、ガス会社情報、基本項目情報、ガスメータ情報、容器情報、使用器具情報、調整器情報、集中監視情報、警報機情報、認定保安機関情報などであり、これらの情報は各顧客ごとにデータベース的に記憶される。
【００３８】
また、（３２）は、火災現場情報受信部である。この火災現場情報受信部（３２）は、前記会社側パソコン（２）からネットワークを介して送信されてきた火災現場情報を受信するものである。
【００３９】
前記火災現場情報受信部（３２）の出力側には、ガス関連情報検索部（３３）が設けられている。このガス関連情報検索部（３３）は、前記火災現場情報受信部（３２）により受信された火災現場情報に基づいて、前記ガス関連情報記憶部（３１）に記憶されている当該火災現場に対応する顧客のガス関連情報を検索するものである。
【００４０】
前記ガス関連情報検索部（３３）の出力側には、ガス関連情報送信部（３４）が設けられている。このガス関連情報送信部（３４）は、前記ガス関連情報検索部（３３）により検索されたガス関連情報を会社側パソコン（２）にネットワークを介して送信するものである。
【００４１】
図７は、前記サーバ（３）のハードウェア構成を示す図である。
【００４２】
図７において、（３０１）は各部の制御や、データの授受、種々の演算を行い、前記ガス関連情報検索部（３３）として機能する中央演算処理装置（ＣＰＵ）を有する制御部、（３０２）は各種処理を実行するためのプログラムが格納されているＲＯＭ（Ｒｅａｄ  Ｏｎｌｙ  Ｍｅｍｏｒｙ）、（３０３）は前記制御部（３０１）が各種処理を実行するときに必要なデータやプログラムが適宜記憶されるＲＡＭ（Ｒａｎｄｏｍ  Ａｃｃｅｓｓ  Ｍｅｍｏｒｙ）、（３０４）はネットワークに対してデータの授受を行い、火災現場情報受信部（３２）およびガス関連情報送信部（３４）として機能する通信部、（３０５）は各種データを記憶し、前記ガス関連情報記憶部（３１）として機能するハードディスクである。
【００４３】
次に前記消防用ガス保安システムの動作について図９のフローチャートを用いて説明する。
【００４４】
まず、前記消防側パソコン（１）は、火災発見者から火災の通報があった場合に、前記火災現場情報特定部（１２）により火災現場情報を特定し、その火災現場情報を前記会社側パソコン（２）にネットワークを介して送信する（Ｓ１）。
【００４５】
前記会社側パソコン（２）は、前記消防側パソコン（１）からネットワークを介して送信されてきた火災現場情報を前記火災現場情報受信部（２１）により受信する（Ｓ２）。
【００４６】
そして、前記会社側パソコン（２）は、前記火災現場情報受信部（２１）により受信した火災現場情報を前記火災現場情報記憶部（２２）に記憶する（Ｓ３）。
【００４７】
そして、前記会社側パソコン（２）は、前記火災現場情報記憶部（２２）に記憶した火災現場情報を前記サーバ（３）にネットワークを介して前記火災現場情報送信部（２３）により送信する（Ｓ４）。
【００４８】
前記サーバ（３）は、前記会社側パソコン（２）からネットワークを介して送信されてきた火災現場情報を前記火災現場情報受信部（３２）により受信する（Ｓ５）。
【００４９】
そして、前記サーバ（３）は、前記火災現場情報受信部（３２）により受信した火災現場情報に基づいて、前記ガス関連情報記憶部（３１）に記憶されている当該火災現場のガス関連情報をガス関連情報検索部（３３）により検索する（Ｓ６）。
【００５０】
そして、前記サーバ（３）は、前記ガス関連情報検索部（３３）により検索された火災現場のガス関連情報を前記会社側パソコン（２）にネットワークを介して前記ガス関連情報送信部（３４）により送信する（Ｓ７）。
【００５１】
前記会社側パソコン（２）は、前記サーバ（３）からネットワークを介して送信されてきた火災現場のガス関連情報を前記ガス関連情報受信部（２４）により受信する（Ｓ８）。
【００５２】
そして、前記会社側パソコン（２）は、前記ガス関連情報受信部（２４）により受信されたガス関連情報を前記ガス関連情報記憶部（２５）に記憶する（Ｓ９）。
【００５３】
そして、前記会社側パソコン（２）は、前記ガス関連情報記憶部（２５）に記憶されたガス関連情報を前記表示部（２６）に表示せしめる（Ｓ１０）。
【００５４】
しかして、ガス販売会社は、火災現場を迅速かつ確実に特定することができるとともに、火災現場のガス関連情報を迅速かつ確実に収集することができ、ひいてはガス保安措置を効率的に実行することが可能となる。
【００５５】
なお、この実施形態では、消防側情報端末装置として、消防側パソコン（１）を用いたが、サーバ等のその他の装置を用いてもよい。
【００５６】
また、会社側情報端末装置として、会社側パソコン（２）を用いたが、ＰＤＡ（Ｐｅｒｓｏｎａｌ  Ｄｉｇｉｔａｌ  Ａｓｓｉｓｔａｎｔ）等の携帯型情報端末装置を用いてもよい。これによれば、ガス関連会社の者は、火災現場に急行する間や、火災現場に到着した後におても、その携帯型情報端末装置に表示されたガス関連情報を閲覧することができ便利である。
【００５７】
また、消防側情報端末装置として、消防側パソコン（１）を用いたが、ＰＤＡ（Ｐｅｒｓｏｎａｌ  Ｄｉｇｉｔａｌ  Ａｓｓｉｓｔａｎｔ）等の携帯型情報端末装置を用いてもよい。これによれば、消防員等は、火災現場に急行する間や、火災現場に到着した後におても、その携帯型情報端末装置に表示されたガス関連情報を閲覧することができ便利である。
【００５８】
また、ガス関連会社として、ガス販売会社を挙げたが、その他のガス関連会社であってもよい。
【００５９】
また、ガス関連情報として、図８に示すような各種情報を挙げたが、火災現場の地図情報などその他の情報が含まれるものであってもよい。
【００６０】
また、会社側パソコン（２）がサーバ（３）に接続してガス関連情報を収集するものとしたが、それと共に消防側パソコン（３）がサーバー（３）に接続してガス関連情報を収集閲覧し得るものとしてもよい。
【００６１】
【発明の効果】
請求項１に係る発明によれば、ガス関連会社が火災現場を迅速かつ確実に特定することができるとともに、火災現場のガス関連情報を迅速かつ確実に収集することができ、ひいてはガス保安措置を効率的に実行することが可能となる。
【００６２】
請求項２に係る発明によれば、ガス関連会社が火災現場を迅速かつ確実に特定することができるとともに、火災現場のガス関連情報を迅速かつ確実に収集することができる。
【００６３】
請求項３に係る発明によれば、消防側情報端末装置および会社側情報端末装置が接続されたネットワークに接続することにより、上述の消防用ガス保安システムを実現することができる。
【００６４】
請求項４に係る発明によれば、消防用ガス保安プログラムをコンピュータにインストールすることにより、前記ガス保安システムを簡単かつ確実に実現することができる。
【００６５】
請求項５に係る発明によれば、記録媒体に記録された消防用ガス保安プログラムをコンピュータにインストールすることにより、前記ガス保安システムを簡単かつ確実に実現することができる。
【図面の簡単な説明】
【図１】この発明の一実施形態に係る消防用ガス保安システムの構成概略図である。
【図２】消防側パソコンの機能を示すブロック図である。
【図３】消防側パソコンのハードウェア構成を示す図である。
【図４】会社側パソコンの機能を示すブロック図である。
【図５】会社側パソコンのハードウェア構成を示す図である。
【図６】サーバの機能を示すブロック図である。
【図７】サーバのハードウェア構成を示す図である。
【図８】ガス関連情報の一例を示す図である。
【図９】この実施形態に係るガス保安システムの動作を示すフローチャートである。
【符号の説明】
１・・・消防側パソコン
２・・・会社側パソコン
３・・・サーバ
【図１】
2004246850.tif 000003
【図２】
2004246850.tif 000004
【図３】
2004246850.tif 000005
【図４】
2004246850.tif 000006
【図５】
2004246850.tif 000007
【図６】
2004246850.tif 000008
【図７】
2004246850.tif 000009
【図８】
2004246850.tif 000010
【図９】
2004246850.tif 000011